【事件の表示】
　特願２００８−２０２５３４「携帯型電子機器及びその状態報知方法」拒絶査定不服審判事件〔平成２２年　２月１８日出願公開、特開２０１０−　３９７９８〕について、次のとおり審決する。
【結　論】
　本件審判の請求は、成り立たない。
【理　由】
第１　手続きの経緯・本願発明
　本願は、平成２０年８月６日の出願であり、平成２５年３月２８日付けで拒絶査定がなされ、それに対して同年６月１７日に拒絶査定不服の審判請求がされ、同時に手続補正がされたものであって、その請求項１に係る発明は、平成２５年６月１７日付けの手続補正により補正された明細書及び図面の記載からみて、その特許請求の範囲の請求項１に記載された次のとおりのものと認める。（以下、「本願発明」という。）
「【請求項１】
　１つ以上のキーあるいはボタンを含むキー入力部を備えた携帯型電子機器において、
　前記１つ以上のキーあるいはボタンのうち、あらかじめ定められた複数のキーあるいはボタンの直下又は近接した場所に配置され複数色の発光を選択設定可能な複数の発光素子と、
　当該携帯型電子機器の状態を前記複数の発光素子の点灯パターンで報知する発光制御部を備え、
　前記発光制御部は、当該携帯型電子機器の状態の遷移に応じて前記点灯パターンを変化させ、点灯周期を制御し、前記状態の遷移として、当該携帯型電子機器の発信操作から発信、呼び出し状態への遷移、前記発信、呼び出し状態から通信状態への遷移、バッテリー容量の状態遷移、受信感度状態の遷移をそれぞれ、前記点灯パターンを変化させることでユーザに報知することを特徴とする携帯型電子機器。」
　　　
第２　引用文献
（１）原査定の拒絶の理由に引用された特開２００５−１３６９５５号公報（以下、「引用文献１」という。）には、図面とともに次の記載がある。
（ア）「【００４４】
　（第１の実施の形態）
　図１は本発明の第１の実施の形態におけるデジタルテレビ放送受信機能付き携帯電話の外観を示した図である。図１において、デジタルテレビ放送受信機能付き携帯電話１００（以下、携帯電話１００と略記）は、ＬＣＤやＥＬ等の公知の表示デバイスで構成された表示部１０４、入力部１０６、通話用アンテナ１１１を備えている。
【００４５】
　この携帯電話１００の動作の概略をブロック図を用いて説明する。図２は本発明の第１の実施の形態における携帯電話１００のブロック図である。
【００４６】
　図２において、制御部１０１は携帯電話１００の全体の制御を行う。受信部１０２はデジタルテレビ放送受信アンテナ１１０において受信したデジタルテレビ放送信号をストリームデータに変換する。復号部１０３は、受信部１０２において変換されたストリームデータを映像信号に復号する。表示部１０４は、制御部１０１からの表示命令により、文字やグラフィックス、または復号部１０３において復号された映像信号等の表示を行う。通話部１０５は、通話用アンテナ１１１において送受信される通話用信号によって、他の携帯電話との通話やメールのやり取り等を行う。入力部１０６は複数のキーによって構成されており、任意のキーの操作により、携帯電話１００への数字、文字等の入力や、携帯電話１００が備える複数の機能の切り替え等を行う。発光部１０７は、入力部１０６の背面に各キーと対になって設置された複数の発光素子によって構成されており、それぞれ独立して発光、消灯を行う。発光制御部１０８は、制御部１０１からの制御によって発光部１０７の各発光素子の発光、消灯を行う。メモリ部１０９は、発光部１０７の発光パターン等のあらかじめ設定された情報や、携帯電話１００の動作時に一時的に記憶する情報、電話番号やデジタルテレビ（以下、テレビと略記する）のチャンネル情報等のユーザが蓄積した情報等を記憶する。
【００４７】
　このように、本発明の第１の実施の形態においては、携帯電話１００はテレビ受信機能や通話機能等を備えた構成であり、また、入力部１０６の各キーと対になって配置された複数の発光素子を備え、それぞれを独立して発光制御することができる。　　　　　
・・・中略・・・
【００５２】
　発光制御部１０８は、制御部１０１からの発光制御命令に基づき、発光部１０７の各発光素子をそれぞれ独立して制御して各発光素子の発光、消灯を行う。このとき、実行中の機能および表示要求された情報の種類等に応じてメモリ部１０９から発光部１０７の発光パターンを読み出し、読み出した発光パターンに基づいて各発光素子の発光、消灯の制御を行う。
【００５３】
　発光部１０７は入力部１０６のキーと同数の発光素子を備えており、各発光素子は各キーの背面にそれぞれ対になって設置されている。それぞれの発光素子は独立して発光、消灯の制御が可能であり、同時に複数の発光素子が発光することも可能である。そして、発光によって透光性のキーを背面から照射することで、キーを発光させる。なお、第１の実施の形態においては、発光素子はＬＥＤやＥＬ等の公知のものでかまわない。
・・・中略・・・
【００５５】
　本実施の形態では、上述したように、情報検出部１２２において検出された情報に含まれる数字とテンキーとを関連付け、表示すべき数字を表示したキーを発光させることで入力部１０６にその数字を表示する。
【００５６】
　次に、情報の検出から表示までの基本的な動作を説明する。図４は、第１の実施の形態における基本的な動作を示すフローチャートである。
【００５７】
　まず、ステップＳ４０１において、ユーザが操作したキーに応じて機能の選択がなされる。ここで、携帯電話１００は、通話機能、メール送受信機能、インターネット接続機能等の携帯電話として一般的な機能に加えてテレビ受信機能を備えており、ステップＳ４０１ではこれらの機能の中から任意の一つを選択する。
【００５８】
　次に、ステップＳ４０２において、制御部１０１は受信部１０２、復号部１０３、表示部１０４、メモリ部１０９等を制御し、選択された機能を実行すると同時に、選択された機能に基づいた文字やグラフィック等の表示情報をメモリ部１０９から読み出し、表示部１０４に表示する。
【００５９】
　次に、ステップＳ４０３において、情報検出部１２２は、受信した信号に含まれる情報や携帯電話１００の動作に依存して変化する情報を検出する。この情報の検出は、メモリ部１０９に記憶された情報を読み出すことによって行う。
【００６０】
　次に、ステップＳ４０４において、情報の選択や情報の表示要求をユーザから受付けるための制御命令が主制御部１２３から出され、ユーザによって操作されたキーが入力受付部１２１によって入力受付され、情報の選択および情報の表示要求が受付けられる。
【００６１】
　次に、ステップＳ４０５において、主制御部１２３は、表示要求があった情報に含まれた数字に対応した数字が表示されたキーを入力部１０６から選択し、そのキーを選択的に発光させるための発光パターンをメモリ部１０９より読み出す。
【００６２】
　次に、ステップＳ４０６において、主制御部１２３は、メモリ部１０９から読み出した発光パターンに基づいて、発光制御部１０８に制御命令を出力する。
【００６３】
　次に、ステップＳ４０７において、発光制御部１０８は、主制御部１２３からの制御命令に基づき発光部１０７を発光制御して、メモリ部１０９から読み出した発光パターンで各発光素子をそれぞれ発光または消灯する。」（段落【００４４】〜【００６３】）
　　
（イ）「【００８１】
　本第２の実施の形態が第１の実施の形態と異なる点は、発光部１０７の発光素子をそれぞれ独立して複数の発光色で発光できるように構成した点である。それ以外は第１の実施の形態に示した例と同様の構成であり、同様の動作を行う。
【００８２】
　ここでは、第１の実施の形態と同様、テレビ受信機能付き携帯電話においてテレビ受信を行う場合の表示を例にして説明を行う。
【００８３】
　図７（ａ）は本第２の実施の形態における携帯電話１００を示した図であり、図７（ｂ）は各キーに割り当てられたチャンネルの電波状態および各キーの発光色をまとめた図である。本第２の実施の形態では、各キーと対をなす発光部１０７を、それぞれ、緑、黄、赤の３色を切り替えて発光可能な発光素子で構成している。したがって、発光部１０７は発光状態として、３色の発光色での発光に消灯を加えた４つの状態を有することになる。そこで、電波状態によるグループ分けを行うために、電波状態が良好の３から不良の０までの４つのグループをつくり、各チャンネルの電波状態に応じてそれぞれ４つのグループのいずれかに割り振る。
・・・中略・・・
【００８５】
　そして、チャンネル番号をキーに表示する場合に、グループによって発光色を変えてキーを発光するように構成する。すなわち、電波状態３のグループである「１」、「２」、「８」のキーを緑色で、電波状態２のグループである「５」、「９」のキーを黄色で、電波状態１のグループである「３」のキーを赤色でそれぞれ発光させる。また、電波状態０およびチャンネル設定がないキーは消灯する。このように、チャンネル番号をキーに表示する場合では、発光部１０７の発光色に基づいてグループ数を決め、電波状態に基づいて各チャンネルをそれぞれグループ分けし、グループによって発光色を変える構成とすることで、ユーザはどのチャンネルが良好な電波状態で受信可能なチャンネルかを一目で知ることができるようになる。」（段落【００８１】〜【００８５】）
　　
（ウ）「【０１０３】
　なお、本実施の形態では、受信チャンネルの電波状態によって発光色を変えてチャンネル番号をキーに表示する例を示したが、これ以外にも、例えば、テレビ放送で信号中に付加されているジャンル識別コードを情報検出部１２２で判別し、主制御部１２３に判別出力を与え、発光制御部１０８を制御する等して番組のジャンルによって発光色を分け、どのチャンネルでどのジャンルの放送を行っているかを一目でわかるように表示する、またテレビ受信に限らず、バッテリーやメモリカードの残量を数字で表し、残量が十分か否かで発光色を変える、通話時間を数字で表し時間の長さによって発光色を変える等、入力部１０６に表示する数字を複数のグループに割り振りできるような場合には、同様の効果を得ることができる。
【０１０４】
　また、複数桁の数字を入力部１０６に発光表示する場合に位によって発光色を変えるように構成してもよい。また、異なる位に同じ数字が重なっている場合には、重なった数字のキーを一定時間毎に発光色を切り替え発光し、数字が重なっていることがわかるように表示する構成としてもよい。
【０１０５】
　また、発光色の代わりに発光輝度を変えて表示する構成としても同様の効果を得ることができる。例えば、発光輝度を強、中、弱の３段階に切り替え構成であれば、上述した３色の発光色で発光を切り替える構成と同様に構成することができる。また、発光色の代わりに発光のパターンを変えて表示する構成としても同様の効果が得られる。例えば、発光パターンを、継続発光と、発光と消灯の時間比を２：１とした発光パターンＡと、発光と消灯の時間比を１：２とした発光パターンＢの３通りとすれば、上述した３色の発光色で発光を切り替える構成と同様に構成することができる。」（段落【０１０３】〜【０１０５】）　
　　
（エ）「【０１０６】
　（第３の実施の形態）
次に、図１１から図１５を用いて、本発明の第３の実施の形態について説明する。
【０１０７】
　本第３の実施の形態が第１の実施の形態と異なる点は、入力部１０６を構成するマトリクス状に配置されたキーの配置位置に基づき、キーの組み合わせが数字または文字または記号等のキャラクタの形状に模した形となるように複数のキーを選択し、それらのキーを発光させることでそのキャラクタを入力部１０６に表示するように構成した点である。このように、本第３の実施の形態は、第１の実施の形態と表示の形態が異なるだけであり、それ以外のブロック構成やフローチャート等は、第１の実施の形態と同様である。
【０１０８】
　図１１は本第３の実施の形態における携帯電話１００を示した図である。図１１では、入力部１０６に数字の５を表示した例を示している。このように、本第３の実施の形態では、情報に含まれるキャラクタを、そのキャラクタの形状に模した形となるように複数のキーを組み合わせて発光することで、そのキャラクタを入力部１０６に大きく表示する構成としている。
【０１０９】
　図１２は、「０」から「９」までの数字、および「＊」、「＃」の記号を入力部１０６に表示した例を示した図である。図１２に示すように、入力部１０６は、縦方向に５行、横方向に３列のマトリクス状にキーを配置しているので、発光させるキーの組み合わせによって、数字や記号等をその形状を模して大きく表示することができる。
【０１１０】
　表示する記号としては、上述した以外に、例えばＭＰ３やＭＰＥＧ等のデータ再生機能を備えている場合は、データ再生の状態を示す記号であってもよい。図１３は、入力部１０６にデータ再生の状態を示す記号を表示した例を示した図である。例えば、図１３（ａ）はデータの標準再生を、図１３（ｂ）はデータの早送り再生を、図１３（ｃ）はデータの巻き戻しを、図１３（ｄ）はデータの一時停止を表している。
【０１１１】
　また、上述した以外に、例えば情報検出部１２２において検出された情報の中に「緊急」に関する情報が含まれている場合、ユーザに「緊急」の情報を受信したことをユーザに知らせるための記号を表示するように構成してもよい。例えば、緊急のメールを受信した場合、あるいは、テレビ放送またはラジオ放送で緊急放送が開始された場合に、「緊急」のメールまたは放送信号を受信したことを、ユーザに知らせるための、「緊急」を表す記号を表示する。この場合、「緊急」という特定の条件に基づく記号であるので、通常の表示とは異なる、目立ちやすい表示であることが望ましい。図１４は、「緊急」を表す記号の例を示した図である。図１４（ａ）に示した記号は、通常、強調や注意を促したい場合によく使用されるエクスプラメーションマークを模した記号であり、また、図１４（ｂ）、図１４（ｃ）は、さらに目立つように、最初のパターンとそれを反転したパターンとを繰り返し表示した例である。このように、通常の表示とは異なる、目立ちやすい表示にして、「緊急」であることを示すように構成してもよい。あるいは、「緊急」以外であっても、バッテリーやメモリカード等の残量が少ない、通話時間が一定の時間を超えた、設定した時刻になった、等の場合に上記したような目立ちやすい記号を表示して、ユーザに注意を促すように構成してもよい。
【０１１２】
　また、本実施の形態においては、入力部１０６の有するキーが５行３列のマトリクス状に配置されているので、ローマ字を表示することも可能である。図１５は、入力部１０６に「Ａ」から「Ｆ」までのローマ字を表示した例を示した図である。このように、少なくとも５行３列に配置されたキーによって入力部１０６を構成すれば、ローマ字の表示が可能である。したがって、情報検出部１２２が検出した情報をローマ字によって表示することが可能となる。
【０１１３】
　また、入力部１０６を構成するキーの数が多ければ、ひらがなや漢字等の複雑な文字の表示も可能となる。例えば、少なくとも６行５列にキーが配置してあれば、ひらがな、またはカタカナの表示が可能である。また、少なくとも９行９列にキーが配置してあれば、漢字の表示も可能である。
【０１１４】
　以上説明したように、本第３の実施の形態によれば、入力部１０６を構成するマトリクス状に配置されたキーの配置位置に基づき、キーの組み合わせが数字または文字または記号等のキャラクタの形状に模した形となるように複数のキーを選択し、それらのキーを発光させることでそのキャラクタを入力部１０６に表示することができ、ユーザにより見やすく表示することが可能となるばかりでなく、さらに第１の実施の形態および第２の実施の形態で示したような数字の表示に加えて、文字や記号の表示が可能となり、より多くの情報を表示することが可能となる。また、異なる発光色や発光輝度との組み合わせにより、より多くの情報を表示できることは第２の実施の形態で述べたとおりである。
【０１１５】
　なお、入力部１０６に表示する記号は上述した記号に限定するものではなく、本第３の実施の形態に示した効果が得られる範囲で適用される。
【０１１６】
　また、複数の文字を表示する際には、一定の時間毎に表示する文字を切り替える、あるいは、スクロールして表示する等してもよい。」（段落【０１０６】〜【０１１６】）
　　　　
（オ）「【０１１８】
　本第４の実施の形態が第１の実施の形態と異なる点は、入力部１０６を構成するキーが複数であることを利用し、表示の対象とする情報または情報に含まれる数字が表す量と発光させるキーの数とを関連付け、情報または情報に含まれる数字が表す量の大きさで発光させるキーの数を決定し、情報を入力部１０６にバーグラフ状に表示するように構成した点である。このように、バーグラフ状に情報を表示する構成とすることで、表示されている情報が表す量がどれくらいの量なのかをユーザに直感的にわかりやすく表示することが可能となる。
【０１１９】
　図１６は本第４の実施の形態における携帯電話１００を示した図である。図１６では、表示の対象である情報を入力部１０６にバーグラフ状に表示した例を示している。このように、本第４の実施の形態は、第１の実施の形態と表示の形態が異なるだけであり、それ以外のブロック構成やフローチャート等は、第１の実施の形態と同様である。
【０１２０】
　図１７は、さらに具体的な表示の例を示した図である。図１７（ａ）は、左から順に、表示の対象である情報が表す量が小、中、大の場合を示している。図１７（ａ）では、入力部１０６のキーが５行３列のマトリクス状に配置されていることを利用し、下から順に１行ずつキーを発光してバーグラフ状に表示するように構成しているので、全消灯を含めて６段階でのバーグラフ表示が可能である。また、図１７（ｂ）では、図１７（ａ）と同様に、左から順に、表示の対象である情報が表す量が小、中、大の場合を示している。また、入力部１０６の１５個のキーを有していることを利用し、左から順に１個ずつキーを発光してバーグラフ状に表示するように構成しているので、全消灯を含めて１６段階でのバーグラフ表示が可能である。
【０１２１】
　このように、本第４の実施の形態では、表示の対象とする情報が表す量によって発光させるキーの数を決定し、バーグラフ表示する構成とすることで、例えば、バッテリーの残量や、テレビ受信時の電波状態等、表示されている情報が表す量を一目で把握することができるようになる。
【０１２２】
　なお、本第４の実施の形態では、情報が表す量または情報に含まれる数字が表す量を表示の対象としているので、第１の実施の形態や第２の実施の形態で示したような数字によって表示可能な情報であれば、表示することが可能であるが、特に、バッテリーやメモリカード等の残量、音量、電波状態等、概算表示でもかまわないような情報が表示対象としては好適である。
【０１２３】
　以上説明したように、本第４の実施の形態によれば、入力部１０６を構成するキーが複数であることを利用し、表示の対象とする情報または情報に含まれる数字が表す量で発光させるキーの数を決定し、入力部１０６にバーグラフ状に表示するように構成することで、情報が表す量がどれくらいの量なのかをユーザに直感的にわかりやすく表示することが可能となる。また、異なる発光色や発光輝度との組み合わせにより、より多くの情報を表示できることは第２の実施の形態で述べたとおりである。」（段落【０１１８】〜【０１２３】）
　　　
　以上の記載によれば、引用文献１には、以下のような発明（以下、「引用発明」という。）が開示されていると認められる。
「マトリクス状にキーを配置している入力部１０６を備えた携帯電話において、
　発光部１０７は入力部１０６のキーと同数の発光素子を備えており、各発光素子は各キーの背面にそれぞれ対になって設置され、
　キーを発光させる発光制御部１０８は、実行中の機能および表示要求された情報の種類等に応じてメモリ部１０９から発光部１０７の発光パターンを読み出し、読み出した発光パターンに基づいて各発光素子の発光、消灯の制御を行い、
　テレビ受信を行う場合、電波状態によるグループ分けを行うために、電波状態が良好の３から不良の０までの４つのグループをつくり、各チャンネルの電波状態に応じてそれぞれ４つのグループのいずれかに割り振り、チャンネル番号をキーに表示する場合に、グループによって発光色を変えてキーを発光するように構成して各キーに割り当てられたチャンネルの電波状態を表示し、
　また、入力部１０６を構成するマトリクス状に配置されたキーの配置位置に基づき、キーの組み合わせが数字または文字または記号等のキャラクタの形状に模した形となるように複数のキーを選択し、それらのキーを発光させることでそのキャラクタを入力部１０６に表示することができ、例えば情報検出部１２２において検出された情報の中に「緊急」に関する情報が含まれている場合、強調や注意を促したい場合によく使用されるエクスプラメーションマークを模した記号を、最初のパターンとそれを反転したパターンとを繰り返し表示し、「緊急」以外であっても、バッテリーやメモリカード等の残量が少ない、通話時間が一定の時間を超えた、設定した時刻になった、等の場合に目立ちやすい記号を表示してもよく、また、異なる発光色や発光輝度との組み合わせにより、より多くの情報を表示でき、複数の文字を表示する際には、一定の時間毎に表示する文字を切り替えて表示する等してもよく、
　あるいは、入力部１０６を構成するキーが複数であることを利用し、表示の対象とする情報または情報に含まれる数字が表す量と発光させるキーの数とを関連付け、情報または情報に含まれる数字が表す量の大きさで発光させるキーの数を決定し、情報を入力部１０６にバーグラフ状に表示し、特に、バッテリーやメモリカード等の残量、音量、電波状態等、概算表示でもかまわないような情報を表示対象とし、また、異なる発光色や発光輝度との組み合わせにより、より多くの情報を表示できることを特徴とする携帯電話。」
　　
（２）同じく、原査定の拒絶の理由に引用された特開２００３−８７０５号公報（以下、「引用文献２」という。）には、図面とともに次の記載がある。
（ア）「【０００４】本発明の目的は、発信中、呼出中、通話中、パケット交換式データ通信中又は、音声交換式データ通信中の状態を見分けることが出来る折畳型の通信機器、ストレート型の通信機器、折畳型の携帯電話機及びストレート型の携帯電話機及びその表示方法及びその表示をコンピュータに実行させるためのプログラムを提供することにある。」（段落【０００４】）
　　　
（イ）「【００４０】音声発信の場合、操作ボタン（キー）２０より電話番号の入力またはＲＡＭ１４から登録済みメモリダイヤルの呼び出しを行い、制御部１５と第１のＬＣＤドライバ１６を介して第１のＬＣＤ１７へ表示させ、発信キー押下にて制御部は第１のＬＣＤドライバ１６と第２のＬＣＤドライバ１８へ発信するための信号を送り、第１のＬＣＤ１７と第２のＬＣＤ１９へそれぞれ発信中の表示を行う。回線接続にて発信中表示を行い、通話移行にて通話中表示を行う。」（段落【００４０】）
　　　　
（ウ）「【００５４】図４（ａ）は、携帯電話機が通話状態にあるときの外部表示器の表示であるが、フォントを変更したり、文字の大きさを変えながらスクロールやブリンク表示させるという表示バリエーションである。
【００５５】図４（ｂ）は、画面の上下から文字を数ドットずつスクロール表示させ、画面中央にて文字になるという表示バリエーションである。
【００５６】また、例えば、メール受信中は「受信中」表示を画面中央にてブリンク表示させ、メール受信完了にてＬＣＤバックライトをメール着信色にて点滅させるのと同期させるよう「メール受信完了しました」表示を画面中央にブリンク表示させる。
【００５７】また、音声発信を行うとき、ダイヤル送信から発呼先が着信を受けるまで「呼出中です」を画面の下から上へ１ドットずつテロップ表示を行い、発呼先が着信を受けたら「通話中です」画面を左から右へテロップ表示し、「通話中です」表示が画面中央へ移動してきたら数回ブリンク表示させ、ブリンク表示終了後、画面中央から右へテロップ表示させる等の表示バリエーションを持つこととする。
【００５８】また、例えば、携帯電話機が通信状態にある時の外部表示器表示は、通話中であることの表示が右ななめ下より表示され、左ななめ上までスクロールすることも可とする。」（段落【００５４】〜【００５８】）
　　
（エ）「【００６２】（本発明の他の実施の形態）以上、本発明の実施の形態として、折畳型の携帯電話機において、メインＬＣＤと背面ＬＣＤとを有し、携帯電話機の通信状態に応じて、メインＬＣＤ及び／又は背面ＬＣＤの表示パターンや発光色を変化させることを特徴とする折畳型の携帯電話機について説明した。
【００６３】本発明の他の実施の形態としては、折畳型又はストレート型の通信機器又は携帯電話機において、１つ以上のメイン表示器と１つ以上のサブ表示器とを有し、通信機器又は携帯電話機の通信状態又は機能設定状態又は各種情報に応じて、メイン表示器及び／又はサブ表示器のあらゆる表示形態を変化させることを特徴とする折畳型又はストレート型の通信機器又は携帯電話機に拡張可能である。」（段落【００６２】〜【００６３】）
　　　
（オ）「【００６８】本発明の実施の形態として、第１のＬＣＤ１７では設定事項やメニュー項目を表示できるが、第２のＬＣＤ１９は電界強度を示す電界バー表示や、電池残量表示などの状態表示や着信時画面等限られた表示を行うために使用されると説明したが、いずれのＬＣＤも通信機器又は携帯電話機の通信状態又は機能設定状態又は各種情報の表示が可能である。また、第１のＬＣＤ１７だけではなく、第２のＬＣＤにもカラーＬＣＤを使用することが可能である。
【００６９】本発明の実施の形態として、「音声着信中、メール受信中、音声発信中、メール送信中、呼出中、通話中、保留中、パケット交換式データ通信中、音声交換式データ通信中」の通信状態の表示について説明したが、これ以外に「待受中」「ＰＤＡモード時」「マナーモード時」「ドライブモード時」「ショートメッセージ操作時」「ｉモード操作時」「ＷＡＰ操作時」「ＰＤＣモード時」「ＰＨＳモード時」「Ｅメール送信時」「ショートメッセージ送信時」「発着信停止モード時」「静止画像通信中」「動画像通信中」「音声通話と画像通信等の同時通信中」等のバリエーションが可能である。
【００７０】表示形態のバリエーションとしてスクロール・テロップ・フォント変更等の表示形態は各種可能であり、カラーの色を変化させて流すことも可能である。
【００７１】本発明の実施の形態として、 ＬＣＤバックライト２２を通話中色やメール着信色にて発光させることについて説明したが、「全体の色を変化」させるのではなく、「色を部分的に変化」させたり、「部分的な色の変化（複数の色の帯）が移動していく」ようなバリエーションが可能である。たとえばＬＥＤを複数個設けると共に１つ１つの色を順々に変えたり、カラーのＬＣＤを使って部分毎に色を変えて順々に流す方法が可能である。」（段落【００６８】〜【００７１】）　　　
　　　　　
第３　対比
　本願発明と引用発明とを対比する。
（ア）引用発明の「マトリクス状に配置されたキー」は、本願発明の「１つ以上のキーあるいはボタン」に相当し、引用発明の「入力部１０６」は、本願発明の「１つ以上のキーあるいはボタンを含むキー入力部」に相当する。
　　　　
（イ）引用発明の「携帯電話」は、本願発明の「携帯型電子機器」に相当する。
　　
（ウ）引用発明の発光部１０７の「発光素子」は、入力部１０６の各キーの背面にそれぞれ対になって設置されており、「異なる発光色や発光輝度との組み合わせにより、より多くの情報を表示できる」から、本願発明の「前記１つ以上のキーあるいはボタンのうち、あらかじめ定められた複数のキーあるいはボタンの直下又は近接した場所に配置され複数色の発光を選択設定可能な複数の発光素子」に相当する。
　　
（エ）引用発明の「発光部１０７の発光パターン」は、本願発明の「前記複数の発光素子の点灯パターン」に相当するといえる。
　そして、引用発明の「発光制御部１０８」は、「実行中の機能および表示要求された情報の種類等に応じてメモリ部１０９から発光部１０７の発光パターンを読み出し、読み出した発光パターンに基づいて各発光素子の発光、消灯の制御」を行うから、本願発明の「当該携帯型電子機器の状態を前記複数の発光素子の点灯パターンで報知する発光制御部」に相当するといえる。
　　
（オ）引用発明の「表示の対象とする情報または情報に含まれる数字が表す量と発光させるキーの数とを関連付け、情報または情報に含まれる数字が表す量の大きさで発光させるキーの数を決定し、情報を入力部１０６にバーグラフ状に表示し、特に、バッテリーやメモリカード等の残量、音量、電波状態等、概算表示でもかまわないような情報を表示対象」とすることは、本願発明の「当該携帯型電子機器の状態の遷移に応じて前記点灯パターンを変化させ、前記状態の遷移として、」「当該携帯型電子機器のバッテリー容量の状態遷移、受信感度状態の遷移をそれぞれ、前記点灯パターンを変化させること」に相当するといえる。
　　
　したがって、本願発明の用語を用いて表現すると両者は、
「１つ以上のキーあるいはボタンを含むキー入力部を備えた携帯型電子機器において、
　前記１つ以上のキーあるいはボタンのうち、あらかじめ定められた複数のキーあるいはボタンの直下又は近接した場所に配置され複数色の発光を選択設定可能な複数の発光素子と、
　当該携帯型電子機器の状態を前記複数の発光素子の点灯パターンで報知する発光制御部を備え、
　前記発光制御部は、当該携帯型電子機器の状態の遷移に応じて前記点灯パターンを変化させ、前記状態の遷移として、当該携帯型電子機器のバッテリー容量の状態遷移、受信感度状態の遷移をそれぞれ、前記点灯パターンを変化させることでユーザに報知することを特徴とする携帯型電子機器。」
で一致するものであり、次の（１）、（２）の点で相違している。
　　
＜相違点＞
（１）本願発明では、発光制御部は、当該携帯型電子機器の状態の遷移に応じて前記点灯パターンを変化させ、「点灯周期を制御」するのに対して、引用発明は、発光制御部１０８は、発光パターンに基づいて各発光素子の発光、消灯の制御を行うが、発光の周期を制御することは明記されていない点。　　　
（２）本願発明は、「前記状態の遷移として、当該携帯型電子機器の発信操作から発信、呼び出し状態への遷移、前記発信、呼び出し状態から通信状態への遷移」を、前記点灯パターンを変化させることでユーザに報知するのに対して、引用発明は、そのような通信状態の遷移を発光パターンで報知する記載はない点。　　
　　　
第４　当審の判断
・相違点（１）について
　引用発明は、「複数の文字を表示する際には、一定の時間毎に表示する文字を切り替え」るものであり、また、引用文献１には、「例えば、発光パターンを、継続発光と、発光と消灯の時間比を２：１とした発光パターンＡと、発光と消灯の時間比を１：２とした発光パターンＢの３通りとすれば、上述した３色の発光色で発光を切り替える構成と同様に構成することができる。」（段落【０１０５】）と記載されており、発光パターンにおいて発光時間を制御することが示されている。
　そして、携帯端末装置において、操作キーのバックライトによる点灯パターンの点灯周期を制御することは、本出願の出願日前に周知の技術（例えば、特表２００６−５２０１２５号公報、段落【００１９】「なお、電池の充電量を表示するべく複数のキーを点灯させる場合には、＃キーから開始して、（図６〜図９に示されているように）上記複数のキーを上方に向かって順次点灯させた後に、再度バックライトを順次点灯させる前に、１０秒等の予め定められた時間にわたって上記複数のキーをオン状態に維持することが好ましい。さらに、通信装置１００の動作用に３分を下回る電池の充電量しか残っていない場合には、好ましくは、３〜４秒等の時間にわたって＃キーを間欠的にフラッシュオンの状態にさせた後に、好ましくは、全てのバックライトを点灯させて、ユーザーがインタフェース全体を見ることができるようにする。」、段落【００２６】「通話が消失した場合には、通信装置１００のバックライトは、好ましくは、図１９および図２０により示されているパターン等の２つの相補的なパターン間において間欠的にフラッシュオンの状態にすることになるであろう。あるいは、その代わりに、いくつかの異なるバックライトパターンを間欠的にフラッシュオンの状態にすることにより、または、バックライトの（順次的な表示ではなく）静止表示を点灯させることにより、通話の消失を表示することも可能であることを理解されたい。」、段落【００２９】「本発明においては、多くの実施形態および実施例が可能であることを理解されたい。すなわち、本発明の精神または範囲を逸脱することなく、前述の内容に対して、いくつかの変形を加えることが可能である。例えば、任意の数の異なるバックライトパターンを利用することにより、様々な状態情報を伝達することが可能である。図１４〜図１８に示されているような発呼者ＩＤのイベント（Event ）においては、通話キー１２２および終了キー１２４を点灯させることにより、ユーザーがその通話に応答（または、その通話を拒否）することを支援することができる。さらに、なんらかの状態が変化した場合に、固有のパターン（例えば、全てのバックライトを間欠的にフラッシュオンの状態にする）を利用することにより、通信装置１００に対して、ユーザーの注意を引き付けることも可能である。」、特開２００４−３１２４７５号公報、段落【００２２】〜【００２６】「さらに具体的には、図３にテンキーの発光方法の一例を示す。・・・中略・・・【００２６】上記の実施例では、各桁の発光色を異なる色にすることにより、選択されているチャンネルを表現しているが、各桁毎に発光パターンを変えるという方法でも構わない。例えば、１０の位は点滅させ、１００の位は、点滅サイクルを１０の位よりも長くするなどの方法がある。」の記載参照。）である。
　そうすると、引用発明において、上記周知技術を適用し、発光制御部１０８が、発光パターンに基づいて各発光素子の発光、消灯の制御を行い、発光の周期を制御するようにすることは、当業者が容易になし得ることである。
　　　
・相違点（２）について
　引用文献２には、「音声発信を行うとき、ダイヤル送信から発呼先が着信を受けるまで「呼出中です」を画面の下から上へ１ドットずつテロップ表示を行い、発呼先が着信を受けたら「通話中です」画面を左から右へテロップ表示し、「通話中です」表示が画面中央へ移動してきたら数回ブリンク表示させ、ブリンク表示終了後、画面中央から右へテロップ表示させる等の表示バリエーションを持つこととする。」（段落【００５７】）及び「第２のＬＣＤ１９は電界強度を示す電界バー表示や、電池残量表示などの状態表示や着信時画面等限られた表示を行うために使用されると説明したが、いずれのＬＣＤも通信機器又は携帯電話機の通信状態又は機能設定状態又は各種情報の表示が可能である。また、第１のＬＣＤ１７だけではなく、第２のＬＣＤにもカラーＬＣＤを使用することが可能である。【００６９】本発明の実施の形態として、「音声着信中、メール受信中、音声発信中、メール送信中、呼出中、通話中、保留中、パケット交換式データ通信中、音声交換式データ通信中」の通信状態の表示について説明した」（段落【００６８】〜【００６９】）と記載されており、携帯型電子機器の発信操作から発信、呼び出し状態への遷移、前記発信、呼び出し状態から通信状態への遷移を、メイン表示器ではない外部表示器（サブ表示器）において表示パターンを変化させることでユーザに報知することが示されている。
　引用発明は、「通話時間が一定の時間を超えた、」「等の場合に目立ちやすい記号を表示」してもよいものであるから、携帯電話の通話状態を発光パターンでユーザに報知するようにしているといえる。
　そうすると、引用発明において、引用文献２記載の技術を適用し、発光制御部が、携帯型電子機器の発信操作から発信、呼び出し状態への遷移、前記発信、呼び出し状態から通信状態への遷移を、発光パターンを変化させることでユーザに報知するようにすることは当業者が容易になし得ることである。　
　　
　したがって、本願発明は、引用発明、引用文献２記載の技術及び周知技術に基づいて当業者が容易に発明をすることができたものである。
　　
　そして、本願発明の作用効果も、引用発明、引用文献２記載の技術及び周知技術から、当業者であれば予想できる範囲内のものである。　　　
　　　
第５　むすび
　以上のとおり、本願発明は、引用発明、引用文献２記載の技術及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。